(57)【特許請求の範囲】
【請求項１】
加熱手段と、設定時間後に前記加熱手段の動作を停止するタイマーと、前記タイマーの時間を設定するタイマー時間設定手段と、前記タイマー時間設定手段により設定された時間を表示する時間表示手段と、前記時間表示手段に光を照射する照射手段とを備え、前記照射手段は、加熱停止状態で、前記タイマー時間設定手段を操作して前記タイマー時間を設定している時にはタイマー加熱時と同じ輝度とし、前記設定操作が完了後前記加熱停止状態で、所定時間経過してから、前記タイマーによる加熱開始までの間、それより暗い輝度に変更するまたは照射色を変更する加熱調理器。
【発明の詳細な説明】
【０００１】
【発明の属する技術分野】
本発明は加熱調理器に関するものである。
【０００２】
【従来の技術】
従来の加熱調理器の構成について説明する。従来の加熱調理器ではタイマー時間を設定するタイマー時間設定手段によりタイマー時間が設定されると、時間表示手段にタイマー設定時間が表示され、時間表示手段は光照射する照射手段により表示面の下方より照射されていた。
【０００３】
【発明が解決しようとする課題】
しかしながら上記従来の構成では、タイマー加熱開始前のタイマー時間設定状態とタイマー加熱開始後で照射手段からの照射輝度は同じなので、時間表示手段を見ただけではタイマー加熱中であるか否か容易に判別しにくいという不具合があった。
【０００４】
また、ひとつのタイマーで複数の加熱手段を選択して使用する場合、誤って異なる加熱手段のタイマーを設定した状態で加熱を行っても、加熱開始前と後で照射手段からの照射は同じで変わらないため、タイマー加熱が行われていると勘違いしてしまい、設定した時間が経過しても加熱が停止しないという不具合があった。
【０００５】
本発明は上記課題を解決するもので、照射手段からの照射量または照射色を変更可能として、タイマー設定状態かタイマー加熱状態かを時間表示手段で判別できるタイマー加熱操作の失敗が少ないタイマー部の操作性に優れた加熱調理器を提供することを目的とする。
【０００６】
【課題を解決するための手段】
上記課題を解決するために本発明は、加熱手段と設定時間後に前記加熱手段の動作を停止するタイマーと、前記タイマーの時間を設定するタイマー時間設定手段と、前記タイマー時間設定手段により設定された時間を表示する時間表示手段と、前記時間表示手段に光を照射する照射手段とを備え、前記照射手段は、加熱停止状態で、前記タイマー時間設定手段を操作して前記タイマー時間を設定している時にはタイマー加熱時と同じ輝度とし、前記設定操作が完了後前記加熱停止状態で、所定時間経過してから、前記タイマーによる加熱開始までの間、それより暗い輝度に変更するまたは照射色を変更する構成とするものである。
【０００７】
これにより、照射手段はタイマー設定操作時とタイマー加熱中に時間表示手段の表示が最も見えやすくなるように照射することができ、かつ、タイマー設定をした状態で加熱が行われていないことが時間表示手段を確認するだけで容易に識別することが可能となる。
【０００８】
【発明の実施の形態】
本発明の請求項１に記載の加熱調理器は、加熱手段と、設定時間後に前記加熱手段の動作を停止するタイマーと、前記タイマーの時間を設定するタイマー時間設定手段と、前記タイマー時間設定手段により設定された時間を表示する時間表示手段と、前記時間表示手段に光を照射する照射手段とを備え、前記照射手段は、加熱停止状態で、前記タイマー時間設定手段を設定中にはタイマー加熱時と同じ輝度とし、前記設定操作が完了後前記加熱停止状態で、所定時間経過してから、前記タイマーによる加熱開始までの間、それより暗い輝度に変更するまたは照射色を変更する構成とするものである。
【０００９】
これにより、照射手段はタイマー設定操作時とタイマー加熱中に時間表示手段の表示が最も見えやすくなるように照射することができ、かつ、タイマー設定をした状態で加熱が行われていないことが時間表示手段を確認するだけで容易に識別することが可能となる。
【００１０】
【実施例】
以下本発明の実施例について、図面を参照しながら説明する。
【００１１】
（参考例１）
図１は本発明の参考例１を説明する加熱調理器の操作表示部の概念図である。図２はタイマー表示動作を示すフローチャートである。図１において、１１は加熱手段１０（図示せず）を入り切りする加熱スイッチ、１２は加熱手段１０の入り切りを表示する加熱ランプ、１３はタイマー時間を設定するタイマー時間設定スイッチ、１４はタイマー設定時間を表示する時間表示手段で透過型の液晶表示素子（以下ＬＣＤと記す）で構成されている。１５は時間表示手段１４を表示面の下面となる略後方より照射する照射手段でバックライトＬＥＤにより構成されている。
【００１２】
以上のように構成された加熱調理器についてその動作を説明する。タイマー時間が設定されていない状態では時間表示手段１４、照射手段１５は消灯状態となっている。加熱操作が行われていない状態で、タイマー時間設定スイッチ１３を操作してタイマー時間を設定すると、時間表示手段１４であるＬＣＤに設定された時間を表示するとともに、照射手段１５であるバックライトＬＥＤが点灯して時間表示手段１４の表示面後方より時間表示手段１４の表示面全体を光照射する。この時、加熱手段は加熱停止状態であるので、図２
に示すようにタイマー加熱時より暗い輝度でバックライトＬＥＤを点灯する。例えば、バックライトＬＥＤの駆動電流をタイマー加熱時の１／２程度に制限して、点灯時の輝度を抑制するのである。この後、加熱スイッチ１１を操作して加熱開始すると、加熱ランプ１２が点灯するとともに図２に示すように照射手段１５はバックライトＬＥＤの駆動電流を増大して明るい輝度で点灯する。
【００１３】
加熱中にタイマー時間設定スイッチ１３を操作した場合は、図２に示すようにバックライトＬＥＤは常に明るい輝度で点灯する。
【００１４】
また、照射手段１５であるバックライトＬＥＤを多色発光ＬＥＤで構成すると、タイマー設定時に加熱停止中であればバックライトＬＥＤを緑色で点灯し、タイマー加熱中であれば赤色で点灯することができる。
【００１５】
以上のように本参考例によれば、加熱手段１０の動作状態に応じて照射手段１５の輝度を変化させることで、機器がタイマー加熱調理をしている状態かタイマー設定をしているだけの状態かを、時間表示手段１４を確認するだけで容易に判別することができる。
【００１６】
また、照射手段１５の輝度を変化させる場合に、加熱中は明るく加熱停止中は暗くなるように変化させるので、加熱中であることがより強調され、機器が加熱中であるか否かの判別がしやすくなる。
【００１７】
また、タイマー時間設定がされていなくても加熱手段の動作状態に応じて照射手段１５を点灯させると、使用者が少し離れた場所から調理器を見ても機器が加熱中であるか否かの判別ができ、特に加熱手段１０が誘導加熱調理器のように加熱源が発光または赤熱しない構成となっている場合は、機器が加熱状態であることを視覚的に認識しやすくなるといった効果も生まれる。
【００１８】
また、照射手段１５を多色発光できるようにすると、機器がタイマー加熱調理をしている状態かタイマー設定をしているだけの状態かを、さらに簡単に判別することが可能となるとともに、加熱停止状態でタイマー時間設定する場合に照射手段１５の輝度を抑制する必要がなくなり、タイマー時間設定の操作性を向上することができる。
【００１９】
なお、本参考例ではバックライトＬＥＤの駆動電流を制限して照射手段１５の照射量を少なくしたが、発光させるバックライトＬＥＤの素子数を減らしたり、照射手段１５をオンオフ制御することでも同様に照射量を少なくすることができ、同様の効果を得ることができる。
【００２０】
また、照射手段としてバックライトＬＥＤを用いたが、ＥＬや蛍光管など発光素子であれば当然同様の効果が得られる。
【００２１】
また、時間表示手段１４と照射手段１５をそれぞれＬＣＤとバックライトＬＥＤで別々に構成したが、例えば７セグメントＬＥＤなどを用いて時間表示手段１４と照射手段１５を一体化させても、同様の効果が得られる。
ができる。
【００２２】
（実施例１）
以下本発明の実施例１について説明する。図３は本実施例のタイマー表示動作を示すフローチャートである。構成は参考例１と同一であり説明を省略する。
【００２３】
加熱操作が行われていない状態で、タイマー時間設定スイッチ１３を操作してタイマー
時間を設定すると、時間表示手段１４であるＬＣＤに設定された時間を表示するとともに、照射手段１５であるバックライトＬＥＤが点灯して時間表示手段１４の表示面後方より時間表示手段１４の表示面全体を照射する。この時、図３に示すようにタイマー加熱時と同じ明るい輝度でバックライトＬＥＤを点灯する。タイマー時間設定スイッチ１３の操作が完了して加熱されない状態で所定時間、例えば１０秒間が経過すると図３に示すようにバックライトＬＥＤの駆動電流を制限して暗い輝度で点灯する。この後、加熱スイッチ１１を操作して加熱開始すると、加熱ランプ１２が点灯するとともに図３に示すように照射手段１５はバックライトＬＥＤの駆動電流を増大して明るい輝度で点灯する。
【００２４】
加熱中にタイマー時間設定スイッチ１３を操作した場合は、図３に示すようにバックライトＬＥＤは常に明るい輝度で点灯する。
【００２５】
また、照射手段１５であるバックライトＬＥＤを多色発光ＬＥＤで構成すると、バックライトＬＥＤを暗く点灯する場合は緑色で点灯し、バックライトＬＥＤを明るく点灯する場合は赤色で点灯することができる。
【００２６】
以上のように本実施例によれば、タイマー時間設定操作を行って加熱操作をしていない場合に照射手段１５の輝度を変化させることで、機器がタイマー加熱調理をしている状態かタイマー設定をしているだけの状態かを、時間表示手段１４を確認するだけで容易に判別することができる。
【００２７】
また、タイマー時間設定操作を行っている時とタイマー加熱中は明るい輝度で照射手段を点灯するのでタイマー時間設定操作がしやすくなり、使用者が時間表示手段１４を確認したい状況では常に見やすい表示とすることができる。
【００２８】
また、照射手段１５を多色発光できるようにすると、機器がタイマー加熱調理をしている状態かタイマー設定をしているだけの状態かを、さらに簡単に判別することが可能となるとともに、タイマー設定中とタイマー時間設定後加熱していない状態とタイマー調理中での照射色をそれぞれ変更することも可能となり、機器のタイマー動作状態を一目で識別することが可能となる。
【００２９】
なお、本実施例ではバックライトＬＥＤの駆動電流を制限して照射手段１５の照射量を少なくしたが、発光させるバックライトＬＥＤの素子数を減らしたり、照射手段１５をオンオフ制御することでも同様に照射量を少なくすることができ、同様の効果を得ることができる。
【００３０】
また、タイマー時間設定後照射手段を暗くするまでの所定時間を１０秒としたが、所定時間を設けずに即輝度を変更しても良いし、逆に更に時間を延ばしても同様の効果が得られる。
【００３１】
また、照射手段としてバックライトＬＥＤを用いたが、ＥＬや蛍光管など発光素子であれば当然同様の効果が得られる。
【００３２】
また、時間表示手段１４と照射手段１５をそれぞれＬＣＤとバックライトＬＥＤで別々に構成したが、例えば７セグメントＬＥＤなどを用いて時間表示手段１４と照射手段１５を一体化させても、同様の効果が得られる。
【００３３】
（参考例２）
以下本発明の参考例２について、図面を参照しながら説明する。図４は本参考例の加熱調理器の操作表示部の概念図である。図において、２１は第１の加熱手段である右バーナーを入り切りする右加熱スイッチ、２２は右バーナーの入り切りを表示する右加熱ランプ、２３は第２の加熱手段である左バーナーを入り切りする左加熱スイッチ、２４は左バーナーの入り切りを表示する左加熱ランプ、２５は左バーナー、右バーナーいずれのタイマー設定を行うか選択するタイマー設定選択スイッチ、２６はタイマー設定選択スイッチ２５の選択結果を表示するタイマー選択表示部、２７はタイマー時間を設定するタイマー時間設定スイッチ、２８はタイマー設定時間を表示する時間表示手段で透過型の液晶表示素子（以下ＬＣＤと記す）で構成されている。２９は時間表示手段２８を表示面の下面となる略後方より照射する照射手段でバックライトＬＥＤにより構成されている。
【００３４】
以上のように構成された加熱調理器についてその動作を説明する。右加熱スイッチ２１を操作して右バーナーを加熱中に、タイマー設定選択スイッチ２５を操作して左バーナーのタイマー設定に選択すると、タイマー選択表示部２６に左バーナーが選択された旨の表示、例えば左と示す部分に、ランプが点灯したりＬＣＤ内に設けられた矢印が点灯するとともに、照射手段２９であるバックライトＬＥＤが点灯する。その後タイマー時間設定スイッチ２７の操作により時間表示手段２８に設定時間が表示され、タイマー時間設定が完了した後も左バーナーが加熱されていない場合には図２，３に示すようにバックライトＬＥＤは暗い輝度で点灯する。今、タイマー設定時間が１時間で設定されて、この状態で１時間が経過しても、左タイマー加熱を開始していないので時間表示手段２８の表示は１時間を示したままである。そして左加熱スイッチ２３を操作して左バーナーのタイマー加熱開始すると、バックライトＬＥＤは明るい輝度での点灯に変化する。
【００３５】
右バーナー加熱中にタイマー設定選択スイッチ２５により右バーナーが選択された場合は、右バーナーを加熱停止しない限りバックライトＬＥＤは常に明るい輝度で点灯する。
【００３６】
また、照射手段２９であるバックライトＬＥＤを多色発光ＬＥＤで構成すると、右バーナーのタイマー選択をした場合は赤色に点灯、左バーナーのタイマー選択をした場合は緑色に点灯したり、タイマー設定時に加熱停止中であればバックライトＬＥＤを緑色で点灯し、タイマー加熱中であれば赤色で点灯することができる。さらに、４色以上発光可能であれば、左右それぞれのバーナーのタイマー設定中とタイマー加熱中で照射手段２９の照射色を変更することが可能となる。
【００３７】
以上のように本参考例によれば、複数の加熱手段１０の動作状態に応じて照射手段２９の輝度を変化させることで、機器がタイマー加熱調理をしている状態かタイマー設定をしているだけの状態かを、時間表示手段２８を確認するだけで容易に判別することができ、誤って異なるバーナーのタイマーを設定するのを低減することができる。また、タイマー設定するバーナーを間違えてタイマー加熱が行われなかった場合でも、使用者は違和感を感じることなく設定の間違いに気づくことができ、一つのタイマーで複数のバーナーを選択して使用する場合のタイマー部の操作性を向上することができる。
【００３８】
また、照射手段２９を多色発光できるようにすると、タイマー設定されているバーナーを一目で識別することが可能となり、また、機器がタイマー加熱調理をしている状態かタイマー設定をしているだけの状態かを、さらに簡単に判別することが可能となる。
【００３９】
なお、本参考例、本実施例では照射手段としてバックライトＬＥＤを用いたが、ＥＬや蛍光管など発光素子であれば当然同様の効果が得られる。
【００４０】
また、時間表示手段２８と照射手段２９をそれぞれＬＣＤとバックライトＬＥＤで別々に構成したが、例えば７セグメントＬＥＤなどを用いて時間表示手段２８と照射手段２９を一体化させても、同様の効果が得られる。
【００４１】
【発明の効果】
以上、本発明によれば照射手段はタイマー設定操作時とタイマー加熱中に時間表示手段の表示が最も見えやすくなるように照射することができ、かつ、タイマー設定をした状態で加熱が行われていないことが時間表示手段を確認するだけで容易に識別することが可能となる。
【図面の簡単な説明】
【図１】  本発明の参考例１における加熱調理器の操作表示部の概念図
【図２】  同タイマー表示動作を示すフローチャート
【図３】  本発明の実施例１のタイマー表示動作を示すフローチャート
【図４】  本発明の参考例２における加熱調理器の操作表示部の概念図
【符号の説明】
１０  加熱手段
１３  タイマー時間設定スイッチ
１４  時間表示手段
１５  照射手段
２５  タイマー設定選択スイッチ
２６  タイマー選択表示部
２７  タイマー時間設定スイッチ
２８  時間表示手段
２９  照射手段
【図１】
0004599722.tif 000002
【図２】
0004599722.tif 000003
【図３】
0004599722.tif 000004
【図４】
0004599722.tif 000005